(57)【要約】【課題】臭気が発生する前に臭気原因物質の存在を簡単に検出可能であり、また、採取者が尿などの排泄物に触れることなく尿汚れ判定のための試料採取が容易な採取器具、トイレの尿汚れ判定キット及びトイレの尿汚れの判定方法の提供を課題とする。【解決手段】複数の拭き取り面を有する拭き取り部１２、把持部が設けられたキャップ本体１５、および拭き取り部１２とキャップ本体とを連結する支持棒１６が備えられたキャップ１３と、キャップ１３が装着可能とされるとともに、拭き取り部１２に拭き取られた尿を希釈する希釈水Ｗが収納された採取ボトル１４と、からなることを特徴とする尿汚れ判定用の採取器具１１を採用する。【選択図】図１
2014153127.tif 000002
【特許請求の範囲】
【請求項１】
複数の拭き取り面を有する拭き取り部、把持部が設けられたキャップ本体、および、前記拭き取り部と前記キャップ本体とを連結する支持棒、が備えられたキャップと、
前記キャップが装着可能とされるとともに、前記拭き取り部に拭き取られた尿を希釈する希釈水が収納された採取ボトルと、からなることを特徴とする尿汚れ判定用の採取器具。
【請求項２】
前記拭き取り部が、複数の側面を有する多角錐台形状または多角柱形状の本体部と、前記複数の側面上にそれぞれ取り付けられて前記拭き取り面をなす複数の拭き取りシートと、からなる請求項１に記載の尿汚れ判定用の採取器具。
【請求項３】
複数の拭き取り面を有する拭き取り部、把持部が設けられたキャップ本体、および、前記拭き取り部と前記キャップ本体とを連結する支持棒、が備えられたキャップと、
前記キャップが装着可能とされるとともに、前記拭き取り部に拭き取られた尿を希釈する希釈水が収納された採取ボトルと、
前記尿中の尿素をアンモニアに変化させる酵素剤及び前記ｐＨ変化を検出する指示薬を含む検査液が収納された検査液ボトルと、
から構成されたことを特徴とする尿汚れ判定キット。
【請求項４】
前記拭き取り部が、複数の側面を有する多角錐台形状または多角柱形状の本体部と、前記複数の側面上にそれぞれ取り付けられて前記拭き取り面をなす複数の拭き取りシートと、からなる請求項３に記載の尿汚れ判定キット。
【請求項５】
前記酵素剤がウレアーゼ酵素である請求項３または請求項４に記載の尿汚れ判定キット。
【請求項６】
前記指示薬がフェノールレッドである請求項３または請求項４に記載の尿汚れ判定キット。
【請求項７】
請求項３乃至請求項６のいずれかに記載の尿汚れ判定キットを用いたトイレの尿汚れ判定方法であって、
前記複数の拭き取り面によって、トイレの床面または壁面の検査領域を、複数回に渡って拭き取り、
前記キャップを前記採取ボトルに装着することにより、前記拭き取り面を前記希釈水に浸漬させ、
前記希釈水の一部または全部を、前記検査液と混合して比色試験液とし、
前記比色試験液の変色状態から尿汚れを判定する、ことを特徴とするトイレの尿汚れ判定方法。
【請求項８】
前記比色試験液の変色状態を吸光光度計で測定することにより尿汚れを判定することを特徴とする請求項７に記載のトイレの尿汚れ判定方法。
【請求項９】
前記比色試験液の変色状態を目視で確認することにより尿汚れを判定することを特徴とする請求項７に記載のトイレの尿汚れ判定方法。
【発明の詳細な説明】
【技術分野】
【０００１】
本発明は、トイレの尿汚れ判定用の採取器具、トイレの尿汚れ判定キット及びトイレの尿汚れの判定方法に関する。
【背景技術】
【０００２】
駅などの一般の人が多く利用する公的トイレでは、臭気に関する苦情が発生しやすく、頻繁に清掃を実施しても、臭気に関する苦情を完全になくすことは難しい。これは清掃を実施しても、臭気の元になる物質が十分に除去されていないためと考えられる。
【０００３】
トイレの臭気発生源の一つとして、トイレの床面や壁面に付着した尿汚れがある。下記特許文献１には、排泄臭の臭気成分となるアンモンニアを検知し、該検知に基づき変化した感応部と比色部との色比較により、該アンモニアの濃度を視覚的に認識する技術が開示されている。
【先行技術文献】
【特許文献】
【０００４】
【特許文献１】特開２００７−２７８９２６号公報
【発明の概要】
【発明が解決しようとする課題】
【０００５】
ところで、上記特許文献１に示される検知体では、臭気成分となるアンモンニアを直接検出するようにしているため、該検知体がアンモニア臭気を検知するときには、尿などの排泄物からアンモニア臭気が発生している状況にある。すなわち、検知体がアンモニア臭気を検知するときには、人間が不快な臭気を感じる状況にある。このような状況を改善するために、人間が臭気を感じる以前に、尿汚れを検出する技術の提供が望まれていた。
【０００６】
本発明は、上述した事情に鑑みてなされたものであって、臭気が発生する前に臭気原因物質の存在を簡単に検出可能であり、また、採取者が尿などの排泄物に触れることなく尿汚れ判定のための試料採取が容易な採取器具、トイレの尿汚れ判定キット及びトイレの尿汚れの判定方法の提供を課題とする。
【課題を解決するための手段】
【０００７】
本発明の尿汚れ判定用の採取器具は、複数の拭き取り面を有する拭き取り部、把持部が設けられたキャップ本体、および前記拭き取り部と前記キャップ本体とを連結する支持棒が備えられたキャップと、前記キャップが装着可能とされるとともに、前記拭き取り部に拭き取られた尿を希釈する希釈水が収納された採取ボトルと、からなることを特徴とする。
また、本発明の尿汚れ判定用の採取器具は、前記拭き取り部が、複数の側面を有する多角錐台形状または多角柱形状の本体部と、前記複数の側面上にそれぞれ取り付けられて前記拭き取り面をなす複数の拭き取りシートと、からなることが好ましい。
次に、本発明の尿汚れ判定キットは、複数の拭き取り面を有する拭き取り部、把持部が設けられたキャップ本体、および前記拭き取り部と前記キャップ本体とを連結する支持棒が備えられたキャップと、前記キャップが装着可能とされるとともに、前記拭き取り部に拭き取られた尿を希釈する希釈水が収納された採取ボトルと、前記尿中の尿素をアンモニアに変化させる酵素剤及び前記ｐＨ変化を検出する指示薬を含む検査液が収納された検査液ボトルと、から構成されたことを特徴とする。
また、本発明の尿汚れ判定キットは、前記拭き取り部が、複数の側面を有する多角錐台形状または多角柱形状の本体部と、前記複数の側面上にそれぞれ取り付けられて前記拭き取り面をなす複数の拭き取りシートと、からなることが好ましい。
更に、本発明の尿汚れ判定キットは、前記酵素剤がウレアーゼ酵素であることが好ましい。
更にまた、本発明の尿汚れ判定キットは、前記指示薬がフェノールレッドであることが好ましい。
次に、本発明のトイレの尿汚れ判定方法は、先のいずれかに記載の尿汚れ判定キットを用いたトイレの尿汚れ判定方法であって、前記複数の拭き取り面によって、トイレの床面または壁面の検査領域を、複数回に渡って拭き取り、前記キャップを前記採取ボトルに装着することにより、前記拭き取り面を前記希釈水に浸漬させ、前記希釈水の一部または全部を、前記検査液と混合して比色試験液とし、前記比色試験液の変色状態から尿汚れを判定する、ことを特徴とする。
また、本発明のトイレの尿汚れ判定方法は、前記比色試験液の変色状態を吸光光度計で測定することにより尿汚れを判定することが好ましい。
更に、本発明のトイレの尿汚れ判定方法は、前記比色試験液の変色状態を目視で確認することにより尿汚れを判定することが好ましい。
【発明の効果】
【０００８】
本発明の尿汚れ判定用の採取器具は、キャップ本体を採取者が把持し、支持棒を介してキャップ本体に取り付けられた拭き取り部によって、トイレの床面等の尿汚れを拭き取り、キャップを採取ボトルに装着することで、採取した尿を希釈水に希釈させる。このように本発明の尿汚れ判定用の採取器具によれば、尿汚れを採取する際に、採取者が尿汚れに触れることなく、衛生的に尿汚れを採取できる。
また、拭き取り面が複数設けられており、これら複数の拭き取り面を順次用いることで、尿汚れを完全に拭き取って試料とすることができる。
【０００９】
また、本発明の尿汚れ判定用の採取器具は、複数の拭き取りシートが多角錐台形状の本体部に取り付けられており、トイレの床面等の尿汚れを拭き取る際に、本体部を回して拭き取りシートを順次切り替えながら尿汚れを拭き取る。このように本発明の尿汚れ判定用の採取器具によれば、トイレの床面等の尿汚れを拭き取る際に、尿汚れを完全に拭き取って試料とすることができる。
【００１０】
次に、本発明の尿汚れ判定キットでは、キャップ本体を採取者が把持し、支持棒を介してキャップ本体に取り付けられた拭き取り部によって、トイレの床面または壁面の検査領域を複数回に渡って拭き取る。その後、キャップを採取ボトルに装着して拭き取り面を希釈水に浸漬させる。そして、希釈水の一部または全部を検査液と混合して比色試験液とし、比色試験液の変色状態から尿汚れを判定する。このように本発明の尿汚れ判定キットでは、尿汚れを採取する際に、採取者が尿汚れに触れることなく、衛生的に尿汚れを採取できる。また、比色試験液によって尿汚れを容易に判定できる。更に、拭き取り面が複数設けられており、これら複数の拭き取り面を順次用いることで、尿汚れを完全に拭き取って試料にできる。更にまた、尿に含有される尿素を速やかにアンモニアに分解させ、この分解によるｐＨ変化を指示薬により表すことができる。すなわち、尿の自然分解により不快なアンモニア臭が広く発生する以前に、酵素剤よる強制的かつ局所的なアンモニア分解により尿の存在をいち早く知ることができ、その結果、臭気原因物質の存在を早期に検出できる。
【００１１】
次に、本発明の尿汚れ判定方法によれば、トイレの床面または壁面の検査領域を、拭き取り面によって複数回に渡って拭き取り、拭き取り面を希釈水に浸漬させ、この希釈水を検査液と混合して比色試験液とするので、検査領域に付着した尿汚れを完全に拭き取って比色試験に供することができる。
また、比色試験液の調製の際に、希釈水の一部又は全部を用いるので、比色試験による尿濃度の測定範囲内に、比色試験液の尿濃度を容易に調整できる。
更に、尿に含有される尿素を速やかにアンモニアに分解させ、この分解によるｐＨ変化を指示薬により表すことができる。すなわち、尿の自然分解により不快なアンモニア臭が広く発生する以前に、酵素剤よる強制的かつ局所的なアンモニア分解により尿の存在をいち早く知ることができ、その結果、臭気原因物質の存在を早期に検出できる。
【図面の簡単な説明】
【００１２】
【図１】図１は、本発明の実施形態である尿汚れ判定キットを示す模式図である。
【図２】図２は、本発明の実施形態である尿汚れ判定用の採取器具の拭き取り部を示す平面模式図である。
【図３】図３は、本発明の実施形態である尿汚れ判定用の採取器具の拭き取り部を示す斜視模式図である。
【図４】図４は、本発明の実施形態であるトイレの尿汚れの採取方法を説明する模式図である。
【図５】図５は、比色試験液の吸光光度と尿濃度との関係を示すグラフである。
【発明を実施するための形態】
【００１３】
以下、本発明の実施形態について、図面を参照して説明する。図１〜図３は、本実施形態の尿汚れ判定キットを示す模式図である。図１に示すように、本実施形態の尿汚れ判定キット１には、採取器具１１と、検査液ボトル２１が備えられている。
【００１４】
採取器具１１は、拭き取り部１２を有するキャップ１３と、希釈水Ｗが収納された採取ボトル１４とから構成されている。
キャップ１３は、複数の拭き取り面１２ａを有する拭き取り部１２と、把持部１５ａが設けられたキャップ本体１５と、拭き取り部１２とキャップ本体１５とを連結する支持棒１６とから構成されている。キャップ１３は、採取ボトル１４に着脱自在であり、キャップ１３が採取ボトル１４に装着されることにより採取ボトル１４が密閉されるようになっている。
【００１５】
キャップ１３を構成するキャップ本体１５は、例えば、円柱状の部材であって、円柱の外周面にあたる部分が把持部１５ａになっている。また、キャップ本体１５が採取ボトル１４に着脱自在となっている。キャップ本体１５と採取ボトル１４とは、ねじ部を介して装着されるか、または、嵌め合わされることで相互に装着される。
【００１６】
また、キャップ本体１５には、支持棒１６が取り付けられ、支持棒１６の先には拭き取り部１２が取り付けられている。支持棒１６によって、キャップ本体１５と拭き取り部１２とが離間されている。また、キャップ１３が採取ボトル１４に装着された際に、拭き取り部１２が採取ボトル１４に収納された希釈水Ｗに浸漬されるようになっている。なお、支持棒１６は、可撓性の材質が好ましい。
【００１７】
図２及び図３に示すように、拭き取り部１２は、複数の側面１２ｂを有する多角錐台形状の本体部１２ｃと、複数の側面１２ｂ上にそれぞれ取り付けられて拭き取り面１２ａをなす複数の拭き取りシート１２ｄとからなる。図２及び図３に示す例では、三角錐台形状の本体部１２ｃの３つの側面１２ｂに、３枚の拭き取りシート１２ｄが取り付けられている。本体部１２ｃを支持する支持棒１６は、多角錐の底面にあたる面に取り付けられていればよい。これにより、拭き取り部１２は先端側が尖った状態になる。また、拭き取りシート１２ｄは、スポンジシート等を例示できる。なお、本体部１２ｃは、図３に示すような多角錐台形状に限らず、多角柱形状であってもよい。
【００１８】
採取ボトル１４に収納された希釈水Ｗは、蒸留水またはイオン交換水であればよい。
【００１９】
次に、検査液ボトル２１には、尿中の尿素をアンモニアに変化させる酵素剤と、ｐＨ変化を検出する指示薬とを含む検査液Ｓが収納されている。検査液Ｓの溶媒はｐＨが中性である水が好ましい。
検査液Ｓに含まれる酵素剤は、尿に含有される尿素を分解してアンモニア生成を促進するウレアーゼ酵素などの尿素分解酵素が使用される。また、検査液Ｓに含まれる指示薬は、アンモニア生成による検査液Ｓの弱アルカリ化、すなわちｐＨの上昇を検出するフェノールレッド、リトマス、メチルレッドなどのｐＨ指示薬が使用される。例えば、１０ｍｌの検査液Ｓを調製するには、水にウレアーゼ酵素を３７．５ｍｇ添加し、更にフェノールレッドを０．０１％添加して、全量を１０ｍｌにする。フェノールレッドを用いた場合、酸性から中性側では黄色若しくはオレンジ色に変色し、アルカリ性側では赤色に変色する。従って黄色またはオレンジ色から赤色の変色を観察することで、尿素が分解されたアンモニアを検出できる。
【００２０】
次に、本実施形態の尿汚れ判定方法について説明する。
まず、トイレの床面または壁面における検査領域を決める。検査領域は、例えば、一辺が１５ｃｍの正方形の領域とすることができる。
次に、検査領域内の汚れを、採取器具１１で拭き取る。この際、採取器具１１の拭き取り部１２を採取ボトル１４の希釈水Ｗに浸漬させて拭き取りシート１２ｄを十分に濡らしておくことが、汚れを完全に拭き取れる点で望ましい。
【００２１】
次に、図４に示すように、キャップ１３を採取ボトル１４から取り外し、キャップ本体１５の把持部１５ａを採取者が保持しながら、検査領域Ｍに１枚目の拭き取りシート１２ｄを押し付けて、検査領域Ｍの汚れを拭き取る。
【００２２】
１枚目の拭き取りシート１２ｄを用いて検査領域Ｍ全面を満遍なく拭き取ったら、キャップ１３を回して未使用の２枚目の拭き取りシート１２ｄを検査領域Ｍに相対させ、２回目の拭き取りを行う。２回目の拭き取りも１回目と同様に、２枚目の拭き取りシート１２ｄで検査領域Ｍ全面を満遍なく拭き取る。
【００２３】
２枚目の拭き取りシート１２ｄで検査領域Ｍを拭き取ったら、キャップ１３を回して未使用の３枚目の拭き取りシート１２ｄを検査領域Ｍに相対させ、３回目の拭き取りを行う。３回目の拭き取りも１、２回目と同様に、３枚目の拭き取りシート１２ｄで検査領域Ｍ全面を満遍なく拭き取る。
【００２４】
拭き取りの回数は、採取器具１１に備えられた拭き取りシート１２ｄの枚数に設定すればよい。
【００２５】
なお、支持棒１６を可撓性の材質にすることで、汚れを拭き取る際に支持棒１６が自在に撓み、拭き取りシート１２ｄの全面がトイレの床面等に接触しやすくなり、効率よく汚れを拭き取れる。また、本体部１２ｃを多角錐台形状とすることで、支持棒１６の軸方向に対して拭き取り面１２ａが傾斜することになる。これにより、図４に示すように、拭き取りシート１２ｄの全面がトイレの床面等に接触しやすくなり、効率よく汚れを拭き取れる。
【００２６】
次に、拭き取りが終了したキャップ１３を、速やかに採取ボトル１４に装着する。これにより、拭き取り部１２が希釈水Ｗに浸漬されて、拭き取りシート１２ｄに付着した水溶性の汚れが希釈水Ｗ中に拡散される。拭き取った汚れに尿が含まれる場合は、尿が希釈水Ｗ中に拡散する。
【００２７】
次に、希釈水Ｗの一部または全部を、検査液Ｓに加えて比色試験液を調製する。希釈水Ｗと検査液の混合比は、トイレの汚れ具合によって適宜決定すればよい。例えば、比色試験液の変色状態を目視で確認することにより尿汚れを判定する場合は、希釈水Ｗの全量が１０ｍｌ、検査液の全量が１０ｍｌのときに、容量比で希釈水Ｗ：検査液Ｓ＝１：９〜３：７の割合で混合する。
また、比色試験液中の尿素濃度を吸光光度計で測定する場合は、尿素濃度が吸光光度計の測定可能範囲になるように、希釈水と検査液との容量比を調整すればよい。
【００２８】
そして、調製した比色試験液を用いて、尿汚れの判定を行う。判定方法は、比色試験液の変色状態を吸光光度計で測定することにより尿汚れを判定する方法と、比色試験液の変色状態を目視で確認することにより尿汚れを判定する方法とがある。以下、それぞれの方法について説明する。
【００２９】
（吸光光度計を用いる場合）
図５は、０．００２〜０．０２ｇ／Ｌの尿素を含む比色試験液を、波長５８０ｎｍの条件で吸光度を測定した結果を示す。このときの比色試験液は、０．００２〜０．０２ｇ／Ｌの尿素を含む希釈水をそれぞれ調製し、この希釈水Ｗと検査液Ｓとを１：９の容量比で混合して比色試験液としたものである。図５のグラフ中の曲線が、吸光光度法で尿素濃度を定量するための検量線になる。図５から分かるように、比色試験液の吸光度が１．０以下の範囲であれば、未知の尿素濃度の定量が可能になる。
【００３０】
以上より、実際にトイレの床面等の汚れを拭き取って調製した希釈水Ｗを用いて、尿汚れを判定する場合は、希釈水Ｗと検査液Ｓとを混合して比色試験液を調製し、比色試験液の吸光度が１．０以下になるように、希釈水Ｗの混合比を調整する。そして、濃度が調整された比色試験液を用い、吸光光度法により、比色試験液の吸光度を測定する。そして、図５に示す検量線を利用して、希釈水Ｗ中の尿素濃度を求める。このようにして、希釈水Ｗの尿素濃度に基づき、尿汚れの程度を判定することができる。
【００３１】
（目視で確認する場合）
比色試験液の変色状態を目視で確認する場合は、例えば、希釈水Ｗの全量を１０ｍｌとし、検査液の全量を１０ｍｌとした場合に、希釈水Ｗと検査液Ｓを容量比で希釈水Ｗ：検査液Ｓ＝１：９、２：８、３：７の割合でそれぞれ混合して比色試験液とする。そして、それぞれの比色試験液の色を目視で確認し、例えば、以下の基準で判定を行う。
【００３２】
希釈水Ｗ：検査液Ｓ＝１：９の比色試験液が赤色に変色：検査領域Ｍに飛散した尿汚れが目視で確認できる程度。
希釈水Ｗ：検査液Ｓ＝２：８の比色試験液が赤色に変色：検査領域Ｍに尿汚れが存在するが、目視では確認できない程度。
希釈水Ｗ：検査液Ｓ＝３：７の比色試験液が赤色に変色：検査領域Ｍの尿汚れがほぼ存在しない程度。
【００３３】
例えば、トイレ清掃後に、特定の検査領域について尿汚れの判定を行い、「検査領域Ｍに尿汚れが存在するが、目視では確認できない程度」と判定された場合は、尿汚れが残っているので、追加の清掃を行うようにすればよい。このように、比色試験液の変色状態を目視で確認する場合は、吸光光度計が不要であり、清掃現場で尿汚れを直ちに判定でき、清掃管理を行うことが可能となる。
【００３４】
以上説明したように、本実施形態の尿汚れ判定用の採取器具１１では、キャップ本体１５を採取者が把持し、支持棒１６を介してキャップ本体１５に取り付けられた拭き取り部１２によって、トイレの床面等の尿汚れを拭き取る。そして、キャップ１３を採取ボトル１４に装着して採取した尿を希釈水Ｗに希釈させる。このように本実施形態の尿汚れ判定用の採取器具１１によれば、尿汚れを採取する際に、採取者が尿汚れに触れることなく、衛生的に尿汚れを採取できる。
また、拭き取り面１２ａが複数設けられており、これら複数の拭き取り面１２ａを順次用いることで、尿汚れを完全に拭き取って試料とすることができる。
【００３５】
また、本実施形態の尿汚れ判定用の採取器具１１は、複数の拭き取りシート１２ｄが多角錐台形状の本体部１２ｃに取り付けられており、トイレの床面等の尿汚れを拭き取る際に、本体部１２ｃを回して拭き取りシート１２ｄを順次切り替えながら尿汚れを拭き取る。このように本実施形態の尿汚れ判定用の採取器具１１によれば、トイレの床面等の尿汚れを拭き取る際に、尿汚れを完全に拭き取って試料とすることができる。
【００３６】
次に、本実施形態の尿汚れ判定キット１では、キャップ本体１５を採取者が把持し、支持棒１６を介してキャップ本体１５に取り付けられた拭き取り部１２によって、トイレの床面または壁面の検査領域Ｍを複数回に渡って拭き取る。その後、キャップ１３を採取ボトル１４に装着して拭き取り面１２ａを希釈水Ｗに浸漬させる。そして、希釈水Ｗの一部または全部を検査液Ｓと混合して比色試験液とし、比色試験液の変色状態から尿汚れを判定する。このように本発明の尿汚れ判定キット１では、尿汚れを採取する際に、採取者が尿汚れに触れることなく、衛生的に尿汚れを採取できる。また、比色試験液によって尿汚れを容易に判定できる。更に、拭き取り面１２ａが複数設けられており、これら複数の拭き取り面１２ａを順次用いることで、尿汚れを完全に拭き取って試料にできる。更にまた、尿に含有される尿素を速やかにアンモニアに分解させ、この分解によるｐＨ変化を指示薬により表すことができる。すなわち、尿の自然分解により不快なアンモニア臭が広く発生する以前に、酵素剤よる強制的かつ局所的なアンモニア分解により尿の存在をいち早く知ることができ、その結果、臭気原因物質の存在を早期に検出できる。
【００３７】
次に、本実施形態の尿汚れ判定方法によれば、トイレの床面または壁面の検査領域Ｍを、拭き取り面１２ａによって複数回に渡って拭き取り、拭き取り面１２ａを希釈水Ｗに浸漬させ、この希釈水Ｗを検査液Ｓと混合して比色試験液とするので、検査領域Ｍに付着した尿汚れを完全に拭き取って比色試験に供することができる。
また、比色試験液の調製の際に、希釈水Ｗの一部又は全部を用いるので、比色試験による尿濃度の測定範囲内に、比色試験液の尿濃度を容易に調整できる。
更に、尿に含有される尿素を速やかにアンモニアに分解させ、この分解によるｐＨ変化を指示薬により表すことができる。すなわち、尿の自然分解により不快なアンモニア臭が広く発生する以前に、酵素剤よる強制的かつ局所的なアンモニア分解により尿の存在をいち早く知ることができ、その結果、臭気原因物質の存在を早期に検出できる。
【００３８】
そして例えば、トイレ清掃後に、特定の検査領域について尿汚れの判定を行い、検査領域Ｍに尿汚れが存在すると判定された場合は、追加の清掃を行うようにすればよい。特に、比色試験液の変色状態を目視で確認する場合は、吸光光度計が不要であり、清掃現場で尿汚れを直ちに判定でき、清掃管理を容易に行うことができる。
【符号の説明】
【００３９】
１…尿汚れ判定キット、１１…採取器具、１２…拭き取り部、１２ａ…拭き取り面、１２ｂ…側面、１２ｃ…本体部、１２ｄ…拭き取りシート、１３…キャップ、１４…採取ボトル、１５…キャップ本体、１５ａ…把持部、１６…支持棒、２１…検査液ボトル、Ｓ…検査液、Ｗ…希釈水。
【図１】
2014153127.tif 000003
【図２】
2014153127.tif 000004
【図３】
2014153127.tif 000005
【図４】
2014153127.tif 000006
【図５】
2014153127.tif 000007